【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
脂肪組織を処理するための方法であって、
前記組織に圧力勾配を発生させるために、突起した皮膚表面に、少なくとも１つの中強度収束超音波エネルギーの源を当てることと、
前記超音波エネルギーの集束を制限することによって焦点体積における圧力振幅を犠牲にして圧力勾配を強めて、前記脂肪組織について所望の効果が増大するようにすることと、
前記細胞の細胞膜を破裂させるのに十分な強度で、脂質液胞流体、細胞質、及び組織間液のような前記脂肪細胞成分間に相対運動を発生させることと、
を含んでいる、方法。
【請求項２】
前記中強度収束超音波エネルギーが、１２０°未満の視野角に制限されている、
請求項１に記載の方法。
【請求項３】
前記中強度収束超音波エネルギーが、９０°未満の視野角に制限されている、
請求項１に記載の方法。
【請求項４】
脂肪組織よりも下方にある内部の組織又は臓器への超音波エネルギーの侵入を避けるために、前記中強度収束超音波エネルギーが、前記突起の外側の皮膚表面に対してほぼ平行に、突起を形成する脂肪組織の中に放射される、
請求項１に記載の方法。
【請求項５】
前記突起は、１つの真空手段又は前記組織に対する機械的操作によって形成される、
請求項１〜４のいずれか１つに記載の方法。
【請求項６】
前記突起は、前記組織に対する機械的操作によって形成される、
請求項５に記載の方法。
【請求項７】
前記突起は、真空によって形成される、
請求項５に記載の方法。
【請求項８】
前記超音波エネルギーが前記皮膚の突起を通って伝わる、
請求項１〜４のいずれか１つに記載の方法。
【請求項９】
中強度収束超音波エネルギーが、２ＧＰａ／ｍから１５ＧＰａ／ｍの圧力勾配を発生させると共に、１ＭＨｚより低い周波数を有している、
請求項１に記載の方法。
【請求項１０】
前記組織成分の密度の違いが、それらの組織成分間の相対運動を発生させるのに役立っている、
請求項１に記載の方法。
【請求項１１】
前記圧力の大きさが前記組織成分内にキャビテーションを発生させないような前記超音波によって生成される負圧を制御すること、
を更に含んでいる、請求項１記載の方法。
【請求項１２】
超音波送信周波数の２分の１に同調された受信機を備えるセンサが、前記組織内のキャビテーションの発生を検出し制御する、
請求項１又は１１に記載の方法。
【請求項１３】
皮下脂肪組織に超音波エネルギーを送達し、且つ脂肪細胞を選択的に処理するための方法であって、
皮膚領域及びその下の脂肪組織に突出部を形成することと、
前記突出部に中強度収束超音波を当て、超音波を用いた選択的加熱によって、好ましいＲＦ吸収経路を、前記脂肪組織内に位置する流体（細胞質及び細胞内液）に発生させることと、
超音波を当てることによって生成される前記好ましいＲＦ吸収経路によって優先的に吸収されると共に細胞膜に負荷をかけることによって追加のひずみを発生させるＲＦを、前記組織体積に当てることと、
を含んでおり、
前記ＲＦ及び超音波が少なくとも部分的に同一の組織体積に作用するものである、方法。
【請求項１４】
脂肪細胞を処理するためのアプリケータであって、
処理する組織の領域に突出部を形成する操作装置と、
前記脂肪細胞内に高伝導率経路及び圧力勾配を発生させるために、突出部内の組織に当てられる少なくとも１つの中強度収束エネルギーの源と、
超音波を当てることによって生成される高伝導率経路によって優先的に吸収されるＲＦを前記突出部に当てるためのＲＦ源と、
を備えており、
前記圧力勾配が、脂質液胞流体、細胞質、及び組織間液のような前記脂肪細胞成分間に相対運動を発生させるものであり、
前記ＲＦ及び前記超音波が、少なくとも部分的に同一の組織体積に作用する、アプリケータ。
【請求項１５】
前記操作装置が、前記組織を機械的に操作することによって又は前記組織に真空を適用することによって前記突出部を形成する、
請求項１４に記載のアプリケータ。
【請求項１６】
前記突出部が前記組織を機械的に操作することによって形成されている、
請求項１５に記載のアプリケータ。
【請求項１７】
前記突出部が前記組織に真空を適用することによって形成されている、
請求項１５に記載のアプリケータ。
【請求項１８】
前記アプリケータが、皮膚の前記突出した組織の領域を囲う非変形領域と平行に、皮膚の前記突出した領域を通って、前記脂肪組織内に、中強度収束超音波エネルギーを注入する、
請求項１４に記載のアプリケータ。
【請求項１９】
前記中強度収束超音波エネルギーの源が、前記突出部に対して９０°の角度で、超音波エネルギーを供給する、
請求項１４に記載のアプリケータ。
【請求項２０】
前記アプリケータが、１２０°未満の視野角に制限されている中強度収束超音波エネルギーを供給する、
請求項１４に記載のアプリケータ。
【請求項２１】
前記アプリケータが、９０°未満の視野角に制限されている中強度収束超音波エネルギーを供給する、
請求項１４に記載のアプリケータ。
【請求項２２】
前記中強度収束超音波エネルギーの源が、２ＧＰａ／ｍから１５ＧＰａ／ｍの圧力勾配を発生させる、
請求項１４に記載のアプリケータ。
【請求項２３】
前記中強度収束超音波エネルギーの源が、１ＭＨｚより低い周波数を有している、
請求項１４に記載のアプリケータ。
【請求項２４】
前記源から放射される超音波エネルギーが前記突出した組織の領域を通って送信される、
請求項１４から２３のいずれか１つに記載のアプリケータ。
【請求項２５】
超音波エネルギーの前記源が、平面振動子、湾曲した振動子、又はレンズを備える振動子の集団の１つである、
請求項１４から２３のいずれか１つに記載のアプリケータ。
【請求項２６】
少なくとも１つのＲＦ電極と、
皮膚冷却装置と、
超音波送信周波数の２分の１に同調された受信機であって、処理される組織内のキャビテーションの発生を識別及び検出すると共に、前記脂質液胞流体、細胞質、及び組織間液の中にキャビテーションを発生させないように前記圧力勾配を制御する、受信機と、
を備えている、
請求項１４に記載のアプリケータ。
【請求項２７】
脂肪組織の処理のためのアプリケータであって、
処理される組織の突出した領域を形成する、操作装置と、
静穏な体表面に対して平行な方向に放射し、前記脂肪組織内に高伝導率経路と圧力勾配とを生成する、少なくとも１つの中強度収束超音波エネルギーの源と、
超音波を当てることによって生成される高伝導率経路によって優先的に吸収されるＲＦを、前記突出部に対して当てるためのＲＦの源と、
を備えており、
前記圧力勾配が前記組織成分間に相対運動を発生させるものであり、
少なくとも共通の組織体積内に吸収される前記ＲＦ及び超音波エネルギーが、前記細胞に壊死又は自然死を引き起こさせることによって前記細胞を破壊する、
アプリケータ。
【請求項２８】
少なくとも１つのＲＦ電極と、
皮膚冷却装置と、
超音波送信周波数の２分の１に同調された受信機であって、処理される組織内のキャビテーションの発生を識別及び検出すると共に、前記脂質液胞流体、細胞質、及び組織間液の中にキャビテーションを発生させないように前記圧力勾配を制御する、受信機と、
を備えている、
請求項２５に記載のアプリケータ。
【請求項２９】
脂肪細胞の選択的処理の方法であって、
皮膚組織及びその下方の脂肪組織の突出領域を形成することと、
中強度収束低周波超音波の短いパルスを、前記突出部に対して９０°の角度で当てることと、
前記細胞膜内に圧力勾配及び高度のひずみを発生させると共に前記細胞膜を選択的に加熱することと、
前記脂肪細胞を破壊することと、
を備えている、方法。
【請求項３０】
パルス長は、１ミリ秒と１００マイクロ秒との間である、
請求項２９に記載の方法。
【請求項３１】
超音波周波数が１ＭＨｚより低い、
請求項２９に記載の方法。
【請求項３２】
細胞質と細胞膜との粘性の違いが、前記細胞膜の選択的加熱を容易にしている、
請求項２９に記載の方法。
【請求項３３】
選択的に加熱された細胞の温度は、摂氏４４°未満である、
請求項２９に記載の方法。